(57)【要約】【課題】複数の生地部分よりなるスクリーンを備え、露出させる生地部分を切換えることができるロールスクリーンにおいて、スクリーン下方に巻取パイプを設けることなく、意匠性を向上させる。【解決手段】２つの巻取パイプが並列に配置され、一方の巻取パイプにスクリーンの一方の端部が巻取り及び巻解き可能に連結されて一方の巻取パイプからスクリーンが垂下可能となっており、スクリーンが途中位置で折り返されて、スクリーンの他方の端部が他方の巻取パイプに巻取り及び巻解き可能に連結されて他方の巻取パイプからスクリーンが垂下可能となっており、スクリーンは少なくとも第１生地部、第２生地部及び第３生地部がこの並び順で上下方向に連続して構成され、第１生地部は第２生地部の約２倍以上の長さを有し、第３生地部は第２生地部の約１倍以上の長さを有するものとし、第１生地部２２及び第３生地部２６が半透明性材料からなり、第２生地部２４が不透明性材料からなる。【選択図】図１
2010189840.tif 000002
【特許請求の範囲】
【請求項１】
２つの巻取パイプ（１０、１２）が並列に配置され、一方の巻取パイプ（１０）にスクリーン（１８）の一方の端部が巻取り及び巻解き可能に連結されて一方の巻取パイプ（１０）からスクリーン（１８）が垂下可能となっており、該スクリーン（１８）が途中位置で折り返されて、スクリーン（１８）の他方の端部が他方の巻取パイプ（１２）に巻取り及び巻解き可能に連結されて他方の巻取パイプ（１２）からスクリーン（１８）が垂下可能となっており、スクリーン（１８）は少なくとも第１生地部（２２）、第２生地部（２４）及び第３生地部（２６）がこの並び順で上下方向に連続して構成され、第１生地部（２２）は第２生地部（２４）の約２倍以上の長さを有し、第３生地部（２６）は第２生地部（２４）の約１倍以上の長さを有することを特徴とするロールスクリーン。
【請求項２】
前記第１生地部（２２）が製品高さの約２倍以上の長さを有することを特徴とする請求項１記載のロールスクリーン。
【請求項３】
前記第１及び第３生地部（２２、２６）が半透明性材料からなり、前記第２生地部（２４）が不透明性材料からなることを特徴とする請求項１または２記載のロールスクリーン。
【発明の詳細な説明】
【技術分野】
【０００１】
本発明は、異なる種類の複数の生地部分よりなるスクリーンを備え、露出させる生地部分を切換えることができるロールスクリーンに関する。
【背景技術】
【０００２】
従来のこの種のロールスクリーンとしては、特許文献１に記載されたものが知られている。これによれば、上下に巻きとりロールを設け、上下の巻きとりロールの間に、第１の材料からなる第１の生布部分と、光透過性部分と、第２の材料からなる第２の生布部分とを一体に連結したブラインド用生布を取り付けており、上下の巻取ロールによって生布を巻取ることによって、第１の生布部分、第２の生布部分あるいは光透過性部分が露出するように切換えることができるようにしたロールスクリーンが提案されている。
【先行技術文献】
【特許文献】
【０００３】
【特許文献１】特開昭５８−８００８８号公報
【発明の概要】
【発明が解決しようとする課題】
【０００４】
しかしながら、上記従来のロールスクリーンでは、上側の第１の生布部分を露出させるためには、下側の巻取ロールで残りの生布部分を巻取らなければならず、下側の巻取ロールが大きくなると、スクリーンの巻取部が目立って意匠性が悪くなるという問題がある。
【０００５】
本発明はかかる課題に鑑みなされたもので、スクリーン下方に巻取パイプを設けることなく、露出させる生地部分を切換えることができ、意匠性が向上したロールスクリーンを提供することをその目的とする。
【課題を解決するための手段】
【０００６】
前述した目的を達成するために、請求項１記載の発明は、２つの巻取パイプが並列に配置され、一方の巻取パイプにスクリーンの一方の端部が巻取り及び巻解き可能に連結されて一方の巻取パイプからスクリーンが垂下可能となっており、該スクリーンが途中位置で折り返されて、スクリーンの他方の端部が他方の巻取パイプに巻取り及び巻解き可能に連結されて他方の巻取パイプからスクリーンが垂下可能となっており、スクリーンは少なくとも第１生地部、第２生地部及び第３生地部がこの並び順で上下方向に連続して構成され、第１生地部は第２生地部の約２倍以上の長さを有し、第３生地部は第２生地部の約１倍以上の長さを有することを特徴とする。
【０００７】
請求項２記載の発明は、請求項１記載のロールスクリーンにおいて、第１生地部が製品高さの約２倍以上の長さを有することを特徴とする。
【０００８】
請求項３記載の発明は、請求項１または２記載のロールスクリーンにおいて、前記第１及び第３生地部が半透明性材料からなり、前記第２生地部が不透明性材料からなることを特徴とする。
【発明の効果】
【０００９】
本発明によれば、２つの巻取パイプのうち、一方の巻取パイプからスクリーンを巻解き、他方の巻取パイプにスクリーンを巻取ることによって、露出されるスクリーンの生地部を切換えることができるとともに、スクリーンを完全に巻取パイプに巻取ることによってロールスクリーンが設定された開口部を完全に開放した状態にすることができる。２つの巻取パイプを並列に配置するため、スクリーンの下方に巻取パイプを設ける必要がなく、意匠性を向上させることができる。
【００１０】
スクリーンは途中位置で折り返して各端部が２つの巻取パイプにそれぞれ連結されているため、スクリーンは二重になった状態で各巻取パイプから垂下された状態となることができる。そのため、第１生地部、第２生地部及び第３生地部のそれぞれの長さに応じて様々なスクリーン状態の切換えが可能になる。
【００１１】
例えば、第１生地部を一方の巻取パイプから巻解き、第２生地部と第３生地部を他方の巻取パイプに巻き取って第１生地部だけが二重になったスクリーン状態とすることができる。
【００１２】
また、第１生地部の一部を一方の巻取パイプに巻取り、第２生地部の一部を他方の巻取パイプから巻解いて、二重になった一方の面が第１生地部から構成され、他方の面が第１生地部と第２生地部とから構成されるスクリーン状態とすることができる。
【００１３】
また、第２生地部を全て他方の巻取パイプから巻解いて、二重になった一方の面が第１生地部から構成され、他方の面が第２生地部から構成されるスクリーン状態とすることができる。
【００１４】
さらに、第３生地部の一部を他方の巻取パイプから巻解いて、第１生地部の一部を一方の巻取パイプに巻き取り、二重になった一方の面が第１生地部と第２生地部とから構成され、他方の面が第２生地部と第３生地部とから構成されるスクリーン状態とすることができる。
【００１５】
さらに、第１生地部を全て一方の巻取パイプに巻取って、二重になった一方の面が第２生地部から構成され、他方の面が第３生地部から構成されるスクリーン状態とすることができる。
【００１６】
さらには、第１生地部、第２生地部、第３生地部を全て、巻取パイプのいずれかまたは両方に巻き取ることにより、ロールスクリーンが設定された開口部を完全に開放した状態にすることができる。
【００１７】
また、請求項２記載の発明によれば、第１生地部を製品高さの２倍の長さとすることにより、前記スクリーン状態の切換えを製品高さにおいて実現させることができる。
【００１８】
例えば、第１生地部だけが二重になったスクリーン状態において、製品高さ全体で二重になったスクリーンの両方の面を同じ意匠とすることができる。または製品高さ全体で、二重になったスクリーンの両方の面を異なる意匠とすることもできる。
【００１９】
また、請求項３記載の発明によれば、前記スクリーン状態の切換えにおいて、様々な遮蔽／シースルー状態を切換えることができる。
【図面の簡単な説明】
【００２０】
【図１】本発明のロールスクリーンの全体正面図である。
【図２】スクリーンを構成する生地の正面図である。
【図３】スクリーン全面をシースルー面にした状態を示す側断面図である。
【図４】スクリーン上部を遮蔽面にし、下部をシースルー面にした状態を示す側断面図である。
【図５】スクリーン全面を遮蔽面にした状態を示す側断面図である。
【図６】スクリーン上部をシースルー面にし、下部を遮蔽面にした状態を示す側断面図である。
【図７】スクリーン全面を遮蔽面にした状態を示す側断面図である。
【図８】ロールスクリーンが設定された開口部を完全に開放した状態を示す側断面図である。
【発明を実施するための形態】
【００２１】
以下、図面を用いて本発明の実施の形態を説明する。
図１に示したように、本発明によるロールスクリーンは、第１巻取パイプ１０と第２巻取パイプ１２とを有しており、第１巻取パイプ１０及び第２巻取パイプ１２は、ロールスクリーンが設定される開口部に取り付けられたセットフレーム１３の両端に設けられたサイドブラケット１４間で、並列に配置されて回転可能に支持される。第１巻取パイプ１０と第２巻取パイプ１２とは、同じ高さに前後に配置することもできるが、前後方向の寸法を小さくするために、図３〜図８に示すように、互いに前後に部分的に重なるようにして配置すると好ましい。
【００２２】
各巻取パイプ１０、１２の回転操作は、サイドブラケット１４の一端に設けられた操作チェーン１６を操作することにより行われ、この操作により２本の巻取パイプ１０、１２が連動して回転するようになっている。また、操作チェーン１６の操作を停止すれば、公知のストッパにより巻取パイプ１０，１２はその停止位置を維持可能となっている。
【００２３】
第１巻取パイプ１０には、スクリーン１８の一方の端部が巻取り及び巻解き可能に連結され、スクリーン１８が途中位置で折り返されて、スクリーン１８の他方の端部が第２巻取パイプ１２に巻取り及び巻解き可能に連結される。スクリーン１８の折り返された部分には、ウエイトバー２０が載置され、ウエイトバー２０の自重によりスクリーン１８に張力が与えられ、形状が保持される。これによって、スクリーン１８は、前後に重なった二重の状態で、第１巻取パイプ１０と第２巻取パイプ１２のそれぞれから垂下可能となっている。
【００２４】
次に、スクリーン１８の構造について説明する。図２に示すように、スクリーン１８は、第１生地部２２、第２生地部２４及び第３生地部２６がこの並び順で上下方向に連続して構成されている。製品高さをＨとすると、第２生地部２４は製品高さとほぼ同じ長さＨを有し、第１生地部２２は製品高さの約２倍以上の長さ、すなわち第２生地部の約２倍以上の長さ２Ｈを有し、第３生地部は第２生地部の約１倍以上の長さＨを有する。好ましくは、第１生地部２２及び第３生地部２６は半透明性材料からなり、第２生地部２４は不透明性材料からなる。第１生地部２２、第２生地部２４及び第３生地部２６は、例えば、縫製によって互いに連結されるか、あるいは、生地を織る途中で織り密度を変えることによって、連続した一枚の生地から構成することができる。
【００２５】
以上のように構成されるロールスクリーンにおけるスクリーン１８の開閉パターンについて説明する。
【００２６】
図３は、第１巻取パイプ１０から第１生地部２２をほぼ全て巻解き、これと連動して第２巻取パイプ１２に第２生地部２４及び第３生地部２６を全て巻取った状態を示している。この状態では、半透明性材料からなる第１生地部２２だけが露出し、半透明性材料からなる第１生地部２２が前後に重なった状態となっているため、全体がシースルー面となったスクリーン状態とすることができる。
【００２７】
次に、図４に示すように、第１巻取パイプ１０に第１生地部２２をその１／４近くまで巻取り、これと連動して第２巻取パイプ１２から第２生地部２４の１／２を巻解くと、前後に重なった前側のスクリーン面は、半透明性材料からなる第１生地部２２のみから構成され、後側のスクリーン面は、その上側が不透明性材料からなる第２生地部２４で、その下側が半透明性材料からなる第１生地部２２から構成される。これを正面から見ると、半透明性材料の第１生地部２２と不透明性材料の第２生地部２４とが重なる上部は遮蔽面となり、半透明性材料の第１生地部２２が前後に重なる下部はシースルー面となる。つまり、上部が遮蔽面、下部がシースルー面となったスクリーン状態とすることができる。
【００２８】
次に、図５に示すように、第１巻取パイプ１０に第１生地部２２をその半分近くまで巻取り、これと連動して第２巻取パイプ１２から第２生地部２４を全て巻解くと、前後に重なった前側のスクリーン面は、半透明性材料からなる第１生地部２２のみから構成され、後側のスクリーン面は、不透明性材料からなる第２生地部２４のみから構成される。これを正面から見ると、半透明性材料の第１生地部２２と不透明性材料の第２生地部２４とが重なって遮蔽面となる。つまり、全体が遮蔽面となったスクリーン状態とすることができる。
【００２９】
次に、図６に示すように、第１巻取パイプ１０に第１生地部２２を３／４近くまで巻取り、これと連動して第２巻取パイプ１２から第２生地部全体及び第３生地部の１／２を巻解くと、前後に重なった前側のスクリーン面は、その上側が半透明性材料からなる第１生地部２２で、その下側が不透明性材料からなる第２生地部２４から構成される。また、後側のスクリーン面は、その上側は半透明性材料からなる第３生地部２６で、その下側が不透明性材料からなる第２生地部２４から構成される。これを正面から見ると、半透明性材料の第１生地部２２と半透明性材料の第３生地部２６とが重なる上部はシースルー面となり、不透明性材料の第２生地部２４が前後に重なる下部は遮蔽面となる。つまり、上部がシースルー面、下部が遮蔽面となったスクリーン状態とすることができる。
【００３０】
次に、図７に示すように、第１巻取パイプ１０に第１生地部２２を全て巻取り、これと連動して第２巻取パイプ１２から第２生地部２４及び第３生地部２６を巻解くと、前後に重なった前側のスクリーン面は、不透明性材料からなる第２生地部２４のみから構成され、後側のスクリーン面は、半透明性材料からなる第３生地部２６のみから構成される。これを正面から見ると、不透明性材料の第２生地部２４と半透明性材料の第３生地部２６とが重なって遮蔽面となる。つまり、全体が遮蔽面となったスクリーン状態とすることができる。
【００３１】
次に、図８に示すように、第１巻取パイプ１０に全てのスクリーン１８を巻取ると、ロールスクリーンが設定された開口を大きく開放する状態とすることができる。
【００３２】
こうして、様々なスクリーンの開閉パターンを１つのロールスクリーンで実現することができ、調光を行い、またはデザインを変化させることができる。
【００３３】
尚、前記実施の形態においては、スクリーンを３つの生地部より構成したが、これに限定されるものではなく、４つ以上の生地部を組み合わせることも可能である。また、この３つ以上の生地部の中で、連続しない生地部同士においては、共通の種類の生地部で構成することも可能である。
【００３４】
また、各生地部を半透明性材料及び不透明性材料よりなるものとしたが、これ以外の任意の色、模様、素材、遮光度等が異なる生地部を組み合わせることができる。例えば、色の異なる生地を使用して、赤い生地と青い生地とを重ね合わせることにより紫色のスクリーンを実現するというように、色の重ね合わせにより透過光の色を変化させるものとすることもできる。
【符号の説明】
【００３５】
１０、１２  巻取パイプ
１８  スクリーン
２２  第１生地部
２４  第２生地部
２６  第３生地部
【図１】
2010189840.tif 000003
【図２】
2010189840.tif 000004
【図３】
2010189840.tif 000005
【図４】
2010189840.tif 000006
【図５】
2010189840.tif 000007
【図６】
2010189840.tif 000008
【図７】
2010189840.tif 000009
【図８】
2010189840.tif 000010